【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
非ゼロ圧力勾配を有するフレアを備えたスピーカーポートであって、
該非ゼロ圧力勾配は、該スピーカーポートを介して送信される任意の周波数の音波に対して、動作中、該フレアの軸方向の長さの少なくとも一部に沿って実質的に一定である、スピーカーポート。
【請求項２】
前記フレアは円形ではない、請求項１に記載のスピーカーポート。
【請求項３】
前記フレアは軸対称ではない、請求項１に記載のスピーカーポート。
【請求項４】
第２のフレアをさらに備えている、請求項１に記載のスピーカーポート。
【請求項５】
前記複数のフレアは、基本的に同一の寸法を有する、請求項４に記載のスピーカーポート。
【請求項６】
前記複数のフレアは、基本的に同一の圧力勾配を有する、請求項４に記載のスピーカーポート。
【請求項７】
前記複数のフレアの間に接続された円柱をさらに備え、該円柱および該複数のフレアは、凹み核を形成する、請求項５に記載のスピーカーポート。
【請求項８】
前記凹み核は、基本的に円形の断面を有する、請求項７に記載のスピーカーポート。
【請求項９】
前記凹み核は、基本的に楕円形の断面を有する、請求項７に記載のスピーカーポート。
【請求項１０】
前記フレアは、入口管から出口管まで延びる内部壁をさらに備え、該内部壁は、該入口管から該出口管まで実質的に一定の圧力勾配を提供する、請求項１に記載のスピーカーポート。
【請求項１１】
前記スピーカーポートは、スピーカーエンクロージャを備える、請求項１に記載のスピーカーポート。
【請求項１２】
前記フレアは、流体密度、該フレアに対する所定の初期流れ面積、該フレアの流体媒体の所定の初期速度、および、該フレアの所定の圧力勾配のうちの１つ以上に応答して選択された寸法を有する内部壁を備える、請求項１に記載のスピーカーポート。
【請求項１３】
前記フレアは、該フレアに対する所定の初期流れ面積、および、該フレアの流体媒体の所定の初期速度を含む要因に応答して選択された寸法を有する内部壁を備える、請求項１に記載のスピーカーポート。
【請求項１４】
入口と、
出口と、
該入口と該出口とを接続するフレア壁と
を備えたオーディオラウドスピーカーであって、
該オーディオラウドスピーカーを介して送信される任意の周波数の音波に対して、動作中に、該入口から該出口への方向の圧力勾配が、該入口から該出口への方向の該フレア壁の少なくとも一部に沿って実質的に一定になるように、該フレア壁の輪郭が描かれている、オーディオラウドスピーカー。
【請求項１５】
スピーカーエンクロージャをさらに備えている、請求項１４に記載のオーディオラウドスピーカー。
【請求項１６】
前記実質的に一定である非ゼロ圧力勾配は、ｄｐ／ｄｘを含み、ここで、ｐは、前記スピーカーポートの前記フレアの内部壁に沿った圧力であり、ｘは、該スピーカーポートの入口管と出口管との間の方向に沿った距離である、請求項１に記載のスピーカーポート。
【請求項１７】
前記実質的に一定である非ゼロ圧力勾配は、前記スピーカーポートの内部壁の全長にわたり実質的に一定である、請求項１６に記載のスピーカーポート。
【請求項１８】
少なくとも１つのフレアを備えたスピーカーポートであって、
該フレアの少なくとも一部は、
【数１】
2004531986.tif 000001
に実質的に従い、
ここで、ｙは内部壁上の所与の位置ｘに対する該少なくとも１つのフレアの半径であり、ρは流体密度であり、Ａｉｎは初期流れ面積であり、Ｕｉｎは初期速度であり、Δは基本的に一定の圧力勾配ｄｐ／ｄｘであり、ｃは定数である、スピーカーポート。
【請求項１９】
【数２】
2004531986.tif 000002
ここで、ｒｉｎは初期半径である、請求項１８に記載のスピーカーポート。
【請求項２０】
前記少なくとも１つのフレアに接続された円柱をさらに備え、該円柱および該少なくとも１つのフレアは、凹み核を形成する、請求項１８に記載のスピーカーポート。
【請求項２１】
半径ｙ（ｘ）は、
【数３】
2004531986.tif 000003
によって表され、
ここで、Ａ（ｘ）は、前記壁の任意の部分に沿った任意の位置ｘにおける前記フレアの断面積である、請求項１８に記載のスピーカーポート。
【請求項２２】
入口と、
出口と、
該入口と該出口とを接続するフレアと
を備え、
該フレアの少なくとも一部は、
【数４】
2004531986.tif 000004
に実質的に従い、
ここで、ｙは内部壁上の所与の位置ｘに対する該少なくとも１つのフレアの半径であり、ρは流体密度であり、Ａｉｎは初期流れ面積であり、Ｕｉｎは初期速度であり、Δは基本的に一定の圧力勾配ｄｐ／ｄｘであり、ｃは定数である、オーディオラウドスピーカー。
【請求項２３】
【数５】
2004531986.tif 000005
ここで、ｒｉｎは初期半径である、請求項２２に記載のオーディオラウドスピーカー。
【請求項２４】
前記フレアの全体部分は、
【数６】
2004531986.tif 000006
に実質的に従い、
ここで、ｙは前記内部壁上の所与の位置ｘに対する前記少なくとも１つのフレアの半径であり、ρは流体密度であり、Ａｉｎは初期流れ面積であり、Ｕｉｎは初期速度であり、Δは基本的に一定の圧力勾配ｄｐ／ｄｘであり、ｃは定数である、請求項２２に記載のオーディオラウドスピーカー。
【請求項２５】
入口と、
出口と、
該入口と該出口とを接続するフレアと
を備え、
該フレアの少なくとも一部は、Ｐｒａｎｔｄｌ／Ｂｅｒｎｏｕｌｌｉ  Ｍｏｍｅｎｔｕｍ−Ｉｎｔｅｇｒａｌ関係に基づいて、少なくとも部分的に導出される、オーディオラウドスピーカー。
【請求項２６】
前記Ｐｒａｎｔｄｌ／Ｂｅｒｎｏｕｌｌｉ  Ｍｏｍｅｎｔｕｍ−Ｉｎｔｅｇｒａｌ関係は、
【数７】
2004531986.tif 000007
を含む、請求項２５に記載のオーディオラウドスピーカー。
【請求項２７】
前記フレアの少なくとも一部を導出するために、ｄｐ／ｄｘが定数に等しく設定されている、請求項２６に記載のオーディオラウドスピーカー。
【請求項２８】
前記フレアの少なくとも一部を導出するために、前記Ｐｒａｎｔｄｌ／Ｂｅｒｎｏｕｌｌｉ  Ｍｏｍｅｎｔｕｍ−Ｉｎｔｅｇｒａｌ関係が積分され、ｄｐ／ｄｘが定数に等しく設定されている、請求項２７に記載のオーディオラウドスピーカー。
【請求項２９】
前記フレアの全長が前記Ｐｒａｎｔｄｌ／Ｂｅｒｎｏｕｌｌｉ  Ｍｏｍｅｎｔｕｍ−Ｉｎｔｅｇｒａｌ関係に基づいて導出される、請求項２８に記載のオーディオラウドスピーカー。
【請求項３０】
前記フレアの少なくとも一部は、前記積分されたＰｒａｎｔｄｌ／Ｂｅｒｎｏｕｌｌｉ  Ｍｏｍｅｎｔｕｍ−Ｉｎｔｅｇｒａｌ関係に実質的に従い、ｄｐ／ｄｘが定数に等しく設定されている、請求項２８に記載のオーディオラウドスピーカー。
【請求項３１】
入口と、
出口と、
該入口と該出口とを接続するフレアと
を備え、
該フレアーの少なくとも一部は、関数ｐ（ｘ）から導出され、ここで、関数ｐは、該フレアーの軸方向の長さｘの少なくとも一部に対して音波を定義する１つ以上の物理的パラメータの一般関数である、オーディオラウドスピーカー。
【請求項３２】
前記フレアーの全長は、関数ｐによって定義されている、請求項３１に記載のオーディオラウドスピーカー。
【請求項３３】
前記フレアの少なくとも一部は、ｘに対するｐの導関数（ｄｐ／ｄｘ）を定数に設定することによって導出される、請求項３１に記載のオーディオラウドスピーカー。
【請求項３４】
前記フレアの少なくとも一部を導出するために、積分され、ｄｐ／ｄｘが定数に等しく設定されている、請求項３３に記載のオーディオラウドスピーカー。
【請求項３５】
前記フレアの少なくとも一部は、前記積分された関数ｐ（ｘ）に実質的に従い、ｄｐ／ｄｘが定数に等しく設定されている、請求項３１に記載のオーディオラウドスピーカー。
【請求項３６】
関数ｐ（ｘ）は、前記音波が前記フレアの軸方向の長さの少なくとも一部に沿って伝播するときの圧力を定義する、請求項３１に記載のオーディオラウドスピーカー。